(57)【要約】      （修正有）【課題】手持ち操作により、指圧と温灸の施術が同時にでき、やけどや、低温やけどの危険のない電気指圧温灸器具を提供する。【解決手段】ソケット付き電球１０と、バネ９と、バネ９の可動で表面温度を制御するための連動スイッチ１１を内蔵したおわん型施術部４を具備した円筒パイプ３に、グリップ１付き湾曲パイプ２を溶接接合する。【選択図】図１
0003166900.tif 000002
【実用新案登録請求の範囲】
【請求項１】
グリップ付き湾曲パイプと円筒パイプを溶接接合し、グリップと向かい合う側の円筒パイプ先端におわん型施術部をかぶせスライドできる構成と内部に、バネと、連動スイッチと、ソケット付き電球とを有した構成からなり、手持ち操作で指圧と温灸を同時にできることを特徴とする電気指圧温灸器具。
【請求項２】
おわん型施術部と繋がる連動スイッチが、オン、オフを繰り返す構成と電球の発熱量を調整する制御回路の作用により、やけどや，低温やけどを防止する事を特徴とする、請求項１記載の電気指圧温灸器具。
【考案の詳細な説明】
【技術分野】
【０００１】  本考案は、手持ち操作により、やけどや、低温やけどの危険がなく安全に、指圧と温灸が同時に施術できる電気指圧温灸器具に関するものである。
【背景技術】
【０００２】  従来より温灸器に使用されている発熱体は主にヒーターが主流であり、特許公開平１１−１４６９０１や実開平０６−０７７７５２の発熱体にもヒーターが使用されているが、ヒーターは発熱体の立ち上がり、立ち下がりの反応が遅く、熱の伝わりかたに遅れが生じる難点があった。そして、温度管理の方法に於いては、サーミスタなどのセンサーを使用し一定温度を維持できる様になっているが、一定温度の設定ができても、低温やけどの予防対策はとられてなく、（財団法人製品安全協会の低温やけど傷害の低減を目的としたＳＧ安全基準では、体を暖めるカイロや湯たんぼ、温灸器具では４４度の温度で３時間から４時間、さらに５０度で２分から３分で重大な低温やけどが発生する）と安全基準の目安が定められていて、低温やけどの危険がなく人体のつぼや、患部を治療できる物が望まれていた。
【先行技術文献】
【特許文献】
【０００３】
【特許文献１】特許公開平１１−１４６９０１
【特許文献２】実開平０６−０７７７５２
【考案の概要】
【考案が解決しようとする課題】
【０００４】  解決しようとする問題点は、熱効率が良く応答の早い発熱体を使用し、手持ち操作により指圧と温灸が同時に施術でき、特に温灸施術に於いては、やけどや、低温やけどを防止し、安全に使用できる電気指圧温灸器具の提供である
【課題を解決するための手段】
【０００５】  本考案は、上記目的を達成するために請求項１、請求項２に係る構成上の特徴は、湾曲したパイプを使用する事により、手持ち操作で人体のつぼや、患部の手の届きにくい箇所に押し当て指圧する事ができ、おわん型施術をグリッと向かい合う側の円筒パイプにかぶせスライドさせる構成と、円筒パイプの内部に、バネと、連動スイッチと、ソケット付き電球を有する構成からなり、おわん型施術部が押されたり、バネの反力で戻されたりする動きにより、連動スイッチがオン、オフを繰り返す作用と、制御回路の作用によって調整された電球の発熱量が、おわん型施術部に伝わる事で、やけどや、低温やけどを予防し、指圧と温灸を同時に施術できる指圧温灸器具の提供。
【考案の効果】
【０００６】  本考案の指圧温灸器具では、（イ）おわん形施術を暖めながら強く指圧する事により、皮膚の深部まで熱が伝わり倍の温灸効果がある。
（ロ）おわん型施術部に伝わった電球熱が、おわん型施術と連動するスイッチと制御回路の作用により制御され、やけどや、低温やけどを防止する効果がある。
【図面の簡単な説明】
【０００７】
【図１】図１は、本考案の一実施形態である電気指圧温灸器具の斜視図と円筒パイプを拡大して示す断面図と制御回路である。
【図２】図２は、電気指圧温灸器具の斜視図である。
【図３】図３は、電気指圧温灸器具の側面図である。
【図４】図４は、電気指圧温灸器具の正面図である。
【図５】図５は、電気指圧温灸器具の平面図である。
【考案を実施するための形態】
【０００８】  以下、発明の実施の形態を図面を用いて説明すると、第１図は、同実施形態に係る電気指圧温灸器具の斜視図と円筒パイプを拡大して示す断面図と制御回路で第２図は斜視図、第３図は側面図、第４図は正面図、第５図は平面図により示したものである。
【０００９】  以下、第１図、を用いて説明すると、（イ）グリップ１付き湾曲パイプ２（１５ｍｍステンレス材、肉厚１ｍｍ）と円筒パイプ３（２７．２ｍｍステンレス材、肉厚３ｍｍ）は、溶接で接合され十分な剛性を確保し、グリップ１と向かい合う側の円筒パイプ３の先端を直径２４．９ｍｍ長さ１５ｍｍに仕上がる様に、削り込み加工５を施し、電球の光監視穴６（２個）と、おわん型施術部４（２８ｍｍステンレス材、肉厚１．５ｍｍ）の脱落防止とスライド移動幅を兼ねる、長穴７（４×８ｍｍ）を有するおわん型施術部４をかぶせた構造で、脱落防止用のネジ８が止まり、さらに、円筒パイプ３の内部にバネ９とソケット付き電球１０と連動スイッチ１１を内蔵し、片側の穴はゴム栓１２を付けた構成である。
（ロ）施術中の動作は、おわん形施術４を患部に当て押し込まれた状態になると、連動スイッチ１１が入り、リレーａのオフ接点から接点ｂに切り替わり、コンデンサーｃが充電される３０秒間に、トランジスターｄにもバイアス電流が流れ、リレーｅが動作し、オフ接点から接点ｆに切り替わる事により、可変ボリュウムｇで調整された電圧でりケット付き電球１０が発熱する。（コンデンサーｃと抵抗ｈの値を変更する事でタイマーの変更も可能である）。
（ハ）そして、３０秒間でコンデンサーｃの充電が完了すると、トランジスターｄのバイアス電流が止まり、リレーｅが遮断されオフになる事により、抵抗ｉを通過した低い電圧が供給されてソケット付き電球１０の発熱温度が下がる事で、おわん形施術部４温度も体温以下まで下がる。
（ニ）さらに、数秒でおわん形施術部４が患部から離れた場合は、連動スイッチ１１が切れ、リレーａの接点がオフ側になりコンデンサーｃが短絡放電する。
（ホ）そして、施術中は患部を数秒間だけ留まり強く指圧する事により、温灸効果が著しく増大するが、患部を常に移動させながら施術することで、おわん型施術４が押し込まれたり、バネ９で戻されたり動作し、連動スイチ１１も常にオン、オフを繰り返えしているが、もしもうっかり寝込んでしまい、おわん型施術４が押し込まれた場合でも、３０秒を過ぎると制御回路の作用によりソケット付き電球１０の発熱を、自動的に制御し、体温以下の温度に切り替えて低温やけどを確実に防止する事ができる。
【産業上の利用可能性】
【００１０】  本考案は、発熱を利用する機器を使用する場合に、血液循環，脊椎矯正が行われるようにした多機能な温熱治療機などに利用できる。
【符号の説明】
【００１１】  １    グリップ
２    湾曲パイプ
３    円筒パイプ
４    おわん型施術部
５    削り込み加工
６    電球の光監視穴
７    長穴
８    ネジ
９    バネ
１０    ソケット付き電球
１１    連動スイッチ
１２    ゴム栓
ａ    リレー
ｂ    接点
ｃ    コンデンサー
ｄ    トランジスター
ｅ    リレー
ｆ    接点
ｇ    可変ボリュウム
ｈ    抵抗
ｉ    抵抗
【図１】
0003166900.tif 000003
【図２】
0003166900.tif 000004
【図３】
0003166900.tif 000005
【図４】
0003166900.tif 000006
【図５】
0003166900.tif 000007
【手続補正書】
【提出日】平成23年2月2日(2011.2.2)
【手続補正１】
【補正対象書類名】実用新案登録請求の範囲
【補正対象項目名】全文
【補正方法】変更
【補正の内容】
【実用新案登録請求の範囲】
【請求項１】
ソケット付き電球（１０）とおわん型施術部（４）を前後に可動可能とするた
めのバネ（９）とバネ（９）の可動でおわん型施術部（４）の表面温度を制御す
るための連動スイッチ（１１）を内蔵したおわん型施術部（４）を具備した円筒
パイプ（３）にグリップ（１）付き湾曲パイプ（２）を溶接接合し、手持ち操作
で指圧と温灸を同時にできることを特徴とする電気指圧温灸器具。
【請求項２】
おわん型施術部（４）と繋がる連動スイッチ（１１）が、オン、オフを繰り返
す構成と電球の発熱量を調整する制御回路の作用により、やけどや，低温やけど
を防止する事を特徴とする、請求項１記載の電気指圧温灸器具。